(57)【要約】【課題】使用者の労力の軽減化を図ると共に、使用勝手の向上を図る。【解決手段】本発明は、バケツ２０と、バケツ２０内に設けられる水切り籠３０と、鉛直軸４０を介して水切り籠３０を水平方向に回転させる駆動手段５０とを備えたモップの水切り装置１０であって、駆動手段５０は、電動の駆動源５１と、駆動源５１の回転動を水切り籠３０の鉛直軸４０に伝達する第１の伝達機構５２と、バケツ２０の外側下部において水平軸５３を中心に上下方向に回動する足踏み板５４と、足踏み板５４を所定位置まで踏み込んだ時に駆動源５１を始動させる始動機構５６とを備えていることを特徴とする。【選択図】図２
2011125475.tif 000002
【特許請求の範囲】
【請求項１】
バケツと、該バケツ内に設けられる水切り籠と、鉛直軸を介して前記水切り籠を水平方向に回転させる駆動手段とを備えたモップの水切り装置であって、前記駆動手段は、
電動の駆動源と、
該駆動源の回転動を前記水切り籠の鉛直軸に伝達する第１の伝達機構と、
前記バケツの外側下部において水平軸を中心に上下方向に回動する足踏み板と、
前記足踏み板を所定位置まで踏み込んだ時に前記駆動源を始動させる始動機構と、
を備えていることを特徴とするモップの水切り装置。
【請求項２】
前記駆動手段は、前記足踏み板の上下方向の回動を前記水切り籠の鉛直軸に伝達し、該水切り籠の水平方向の回転動に変換する第２の伝達機構を備えている請求項１に記載のモップの水切り装置。
【請求項３】
前記第１の伝達機構は、前記鉛直軸上に同軸に設けられ、前記駆動源の回転軸に設けられる駆動歯車と噛合する第１の歯車を備え、
前記第２の伝達機構は、前記鉛直軸に平行に設けられ、前記水平軸を挟んで前記足踏み板の反対側端部と噛合する軸状の第２の歯車と、該第２の歯車と前記鉛直軸とを連結する歯車列とを備え、
該歯車列と前記鉛直軸の間には、前記歯車列の回転動を前記鉛直軸に伝達する一方、該鉛直軸の回転動を前記歯車列に伝達しない一方向軸受けが設けられている請求項２に記載のモップの水切り装置。
【請求項４】
前記始動機構は、前記水平軸を挟んで前記足踏み板の反対側端部の上部に突設された当接部と、前記足踏み板を所定位置まで踏み込んだ時に前記当接部が押圧する始動スイッチとを備えている請求項１〜３のいずれか１の請求項にモップの水切り装置。
【請求項５】
前記水切り籠の内面には内側に突出する突起部が複数設けられ、該突起部は前記水切り籠に嵌合したモップを押止可能に形成されている請求項１〜３のいずれか１の請求項にモップの水切り装置。
【発明の詳細な説明】
【技術分野】
【０００１】
本発明は、床等を清掃する際に使用されるモップの水切り装置に関するものである。
【背景技術】
【０００２】
従来、床等を清掃する際にモップを使用している。このモップは、長い柄の先端に吸水性の良い繊維束を保持するヘッドを備えており、床等を清掃する際、このヘッドに保持された繊維束を、バケツ内の水に浸し、床等に擦り付けた後、再度水に浸して洗浄し、手で絞るようになっている。
【０００３】
また、最近では、この清掃後のヘッドの繊維束の絞り作業の簡素化を図るため、バケツ内に水切り籠を設置し、清掃後は、水に浸して洗浄したヘッドをこの水切り籠に入れ、足踏み板を踏んでこの水切り籠及びヘッドを回転させることによって、ヘッドの繊維束を絞るように構成したモップ及び水切りバケツのセット組も提案されている。（例えば、特許文献１参照）。
【先行技術文献】
【特許文献】
【０００４】
【特許文献１】実用新案登録第３１４７７７２号公報
【発明の概要】
【発明が解決しようとする課題】
【０００５】
しかしながら、上記した従来のモップ及び水切りバケツのセット組では、モップのヘッドの繊維束を絞る際に、足踏み板を何度も踏み込む動作を行う必要があるため、使用者の足が疲労し、労力の軽減化が図り難いといった問題があった。
【０００６】
また、水切り籠にヘッドを入れる際には、水切り籠内でヘッドが水平姿勢を保つようにモップの柄を真っ直ぐに立てる必要があるため、手間が掛かり、使用勝手が悪いといった問題もあった。
【０００７】
本発明は、上記した課題を解決すべくなされたものであり、使用者の労力の軽減化を図ると共に、使用勝手の向上を図ることのできるモップの水切り装置を提供することを目的とするものである。
【課題を解決するための手段】
【０００８】
上記した目的を達成するため、本発明は、バケツと、該バケツ内に設けられる水切り籠と、鉛直軸を介して前記水切り籠を水平方向に回転させる駆動手段とを備えたモップの水切り装置であって、前記駆動手段は、電動の駆動源と、該駆動源の回転動を前記水切り籠の鉛直軸に伝達する第１の伝達機構と、前記バケツの外側下部において水平軸を中心に上下方向に回動する足踏み板と、前記足踏み板を所定位置まで踏み込んだ時に前記駆動源を始動させる始動機構とを備えていることを特徴とする。
【０００９】
そして、本発明に係るモップの水切り装置において、前記駆動手段は、前記足踏み板の上下方向の回動を前記水切り籠の鉛直軸に伝達し、該水切り籠の水平方向の回転動に変換する第２の伝達機構を備えていてもよい。
【００１０】
また、本発明に係るモップの水切り装置において、前記第１の伝達機構は、前記鉛直軸上に同軸に設けられ、前記駆動源の回転軸に設けられる駆動歯車と噛合する第１の歯車を備え、前記第２の伝達機構は、前記鉛直軸に平行に設けられ、前記水平軸を挟んで前記足踏み板の反対側端部と噛合する軸状の第２の歯車と、該第２の歯車と前記鉛直軸とを連結する歯車列とを備え、該歯車列と前記鉛直軸の間には、前記歯車列の回転動を前記鉛直軸に伝達する一方、該鉛直軸の回転動を前記歯車列に伝達しない一方向軸受けが設けられていてもよい。
【００１１】
さらに、本発明に係るモップの水切り装置において、前記始動機構は、前記水平軸を挟んで前記足踏み板の反対側端部の上部に突設された当接部と、前記足踏み板を所定位置まで踏み込んだ時に前記当接部が押圧する始動スイッチとを備えていてもよい。
【００１２】
さらにまた、前記水切り籠の内面には内側に突出する突起部が複数設けられ、該突起部は前記水切り籠に嵌合したモップを押止可能に形成されていてもよい。
【発明の効果】
【００１３】
本発明によれば、使用者の労力の軽減化を図ると共に、使用勝手の向上を図ることができる等、種々の効果を得ることができる。
【図面の簡単な説明】
【００１４】
【図１】本発明の実施の形態に係るモップの水切り装置を示す斜視図である。
【図２】本発明の実施の形態に係るモップの水切り装置を示す分解斜視図である。
【図３】本発明の実施の形態に係るモップの水切り装置を足踏み板の周辺部分を示す斜視図である。
【図４】本発明の実施の形態に係るモップの水切り装置に使用するモップを示す分解斜視図である。
【図５】本発明の実施の形態に係るモップの水切り装置を使用している状態を示す斜視図である。
【発明を実施するための形態】
【００１５】
以下、図面を参照しつつ、本発明の実施の形態について説明する。ここで、図１は本発明の実施の形態に係るモップの水切り装置を示す斜視図、図２は同モップの水切り装置を示す分解斜視図、図３は同モップの水切り装置を足踏み板の周辺部分を示す斜視図、図４は同モップの水切り装置に使用するモップを示す分解斜視図、図５は同モップの水切り装置を使用している状態を示す斜視図である。
【００１６】
図１に示されているように、本発明の実施の形態に係る水切り装置１０は、バケツ２０と、バケツ２０内に設けられる水切り籠３０と、水切り籠３０を水平方向に回転させる駆動手段５０とを備えて構成されている。
【００１７】
バケツ２０には、水を貯留する貯水部２１と、水切り籠３０を収容する水切り籠収容部２２とが連続して形成されており、上部中央に把手２３が取り付けられている。また、水切り籠収容部２２の下部には、駆動手段５０の収容凹部２４が切り欠かれるように形成されており、この収容凹部２４の下面は底面パネル３１によって閉塞され、収容凹部２４の前面側は前面パネル３２によって閉塞されている。
【００１８】
水切り籠３０は、平面形状が円形を成し、その底部３３及び周壁部３４にはそれぞれ多数のスリット孔３５，３６が形成されている。また、水切り籠３０の周壁部３４の内面には、径方向内側に先細くの字状に突出する突起部３７が複数形成されており、突起部３７の下側部分３８は凹状に湾曲して形成され、突起部３７の上側部分３９は凸状に湾曲して形成されている。さらに、水切り籠３０の底部３３の中心には下方に向かって延出する鉛直軸４０（図２参照）が接続されており、水切り籠３０はこの鉛直軸４０を中心に水平方向に回転するようになっている。
【００１９】
図２に良く示されているように、駆動手段５０は、電動の駆動源５１と、駆動源５１の回転動を水切り籠３０の鉛直軸４０に伝達する第１の伝達機構５２と、バケツ２０の外側下部において水平軸５３を中心に上下方向に回動する足踏み板５４と、足踏み板５４の上下方向の回動を水切り籠３０の鉛直軸４０に伝達し、水切り籠３０の水平方向の回転動に変換する第２の伝達機構５５と、足踏み板５４を所定位置まで踏み込んだ時に駆動源５１を始動させる始動機構５６とを備えている。
【００２０】
駆動源５１は、台座５７を介して水切り籠収容部２２の底面に固定される電動モータ５８と、電動モータ５８の電源となる電池５９とを備え、電動モータ５８の回転軸６０の上端部に駆動歯車６１が嵌着されている。
【００２１】
第１の伝達機構５２は、電動モータ５８の駆動歯車６１と噛合する第１の歯車６２を備え、この第１の歯車６２は鉛直軸４０上に同軸に固定されている。
【００２２】
足踏み板５４の水平軸５３は、底面パネル３１上に形成された支持部６３に支持され、足踏み板５４は、幅広形状を成し、バケツ２０の側方に突出するように水平軸５３より外側に設けられている。また、水平軸５３を挟んで足踏み板５４の反対側端部６４には、係合部６５が形成されており、反対側端部６４はバネ６６により下方に付勢されている。
【００２３】
第２の伝達機構５５は、鉛直軸４０に平行に設けられ、水平軸５３を挟んで足踏み板５４の係合部６５と噛合する軸状の第２の歯車６７と、この第２の歯車６７と鉛直軸４０とを連結する歯車列６８とを備えている。歯車列６８は。第２の平歯車６７の下端に同軸に固定される第３の歯車６９と、鉛直軸４０の下端に同軸に配設される第４の歯車７０とを備え、第３の歯車６９と第４の歯車７０は噛合している。また、歯車列６８の第４の歯車７０と鉛直軸４０の間には、第４の歯車７０の回転動を鉛直軸４０に伝達する一方、鉛直軸４０の回転動を第４の歯車７０に伝達しない一方向軸受け７１が設けられている。
【００２４】
始動機構５６は、足踏み板５４の反対側端部６４の上部に突設された当接部７２と、足踏み板５４を所定位置まで踏み込んだ時に当接部７２が当接して押圧される始動スイッチ７３とを備えており、この始動スイッチ７３の押圧している間、電動モータ５８が駆動するようになっている。また、前面パネル３２には、電源をオンオフする主電源スイッチ７４が取り付けられていると共に、電源のオンオフを表示するランプ７５が取り付けられている。
【００２５】
図４は本発明の実施の形態に係るモップの水切り装置１０に使用するモップ８０を分解して示しており、このモップ８０は、複数に分割可能な長い柄８１と、柄８１の下端に設けられる円盤状のヘッド８２とを備えている。このヘッド８２は柄１に対して回転可能に設けられ、ヘッド８２には吸水性の良い繊維束８３（図５参照）が着脱可能に保持されるようになっている。
【００２６】
次に、図面を参照しつつ、上記した構成を備えたモップの水切り装置１０の作用について説明する。
【００２７】
モップ８０のヘッド８２に保持された繊維束８３を、バケツ２０の貯水部２１内の水に浸した後、柄８１を持って繊維束８３を床等に擦り付けて清掃する。その後、汚れた繊維束８３を再度、貯水部２１内の水に浸してよく洗浄し、そのヘッド８２を水切り籠３０内に嵌め込む。この時、水切り籠３０周壁部３４の内面に突起部３７が複数形成されており、しかも、この突起部３７の上側部分３９が凸状に湾曲して形成されていると共に下側部分３８が凹状に湾曲して形成されているため、上側部分３９がヘッド８２の水切り籠３０内への嵌め込み作業時のガイド機能を果たすと共に下側部分３８がヘッド８２の上面に密着し、ヘッド８２を押止する。したがって、ヘッド８２の水切り籠３０内への嵌め込み作業を円滑且つ容易に行うことができると共に、ヘッド８２を水切り籠３０内の所定位置に確実に保持させることができ、使用勝手の向上を図ることができる。
【００２８】
このようにヘッド８２を水切り籠３０内に保持させて主電源スイッチ７４をオン側に切換えた状態で、足踏み板５４を所定位置（例えば、最下位置）まで踏み込むと、当接部７２が始動スイッチ７３に当接、押圧し、電動モータ５８が駆動する。この電動モータ５８の駆動により回転軸６０及び駆動歯車６１が回転し、この駆動歯車６１の回転は第１の歯車６２及び鉛直軸４０に伝達され、鉛直軸４０の回転に伴い、水切り籠３０がヘッド８２を保持した状態で水平方向に回転する。そして、この時の遠心力により、繊維束８３の水分がスリット孔３５，３６を通ってバケツ２０内に貯留される。なお、この場合、鉛直軸４０と第４の歯車７０との間に一方向軸受７１が介装されているため、鉛直軸４０の回転が第４の歯車７０に伝達されることはない。
【００２９】
以降、足踏み板３２を所定位置まで踏み込んで当接部７２により始動スイッチ７３を押圧し続けている間、電動モータ５８は駆動し、水切り籠及びヘッド８２は水平方向に回転し続ける。
【００３０】
一方、ヘッド８２を水切り籠３０内に保持させて主電源スイッチ７４をオフ側に切換えた状態で、足踏み板３２を踏み込むと、或いは、主電源スイッチ７４をオン側に切換えていても足踏み板３２を所定位置まで届かない程度に踏み込む（すなわち、当接部７２が始動スイッチ７３に当接しない程度に踏み込む）と、第２の歯車６７及び歯車列６８の各歯車６９，７０が回転し、この回転は一方向軸受け７１を介して鉛直軸４０に伝達される。そして、この鉛直軸４０の回転に伴い、水切り籠３０がヘッド８２を保持した状態で水平方向に回転し、この時の遠心力により、繊維束８３の水分がスリット孔３５，３６を通ってバケツ２０内に貯留される。
【００３１】
その後、足踏み板５４の踏み込み動作を止めると、バネ６６の付勢力により足踏み板３２は元の状態に戻る。
【００３２】
このように上記した本発明の実施の形態に係るモップの水切り装置１０によれば、足踏み板５４を所定位置まで踏み込んでいる限り、電動モータ５８により水切り籠３０が水平方向に回転し続けるため、モップ８２の繊維束８３を絞る際に、足踏み板３２を何度も踏み込む必要がない。したがって、使用者の労力の軽減化を図ることができる。
【００３３】
なお、上記した実施の形態における駆動手段５０の具体的な機構は、単なる例示に過ぎず、例えば、歯車の形状や配置や設置数を変更した機構や、歯車の代わりにベルトを使用した機構等、他の機構を使用することも可能である。
【符号の説明】
【００３４】
１０          モップの水切り装置
２０          バケツ
３０          水切り籠
３７          突起部
４０          鉛直軸
５０          駆動手段
５１          駆動源
５２          第１の伝達機構
５３          水平軸
５４          足踏み板
５５          第２の伝達機構
５６          始動機構
６１          駆動歯車
６２          第１の歯車
６４          反対側端部
６７          第２の歯車
６８          歯車列
７１          一方向軸受け
７２          当接部
７３          始動スイッチ
【図１】
2011125475.tif 000003
【図２】
2011125475.tif 000004
【図３】
2011125475.tif 000005
【図４】
2011125475.tif 000006
【図５】
2011125475.tif 000007